(57)【要約】【課題】  通常の走査光学装置と同等の大きさで走査線を大きく傾けることを可能とする走査光学装置を備える画像形成装置を提供すること。【解決手段】  走査光学装置は、２個所の軸と穴の嵌合により装置本体に取り付けられ、軸と穴のうち一方が走査光学装置に、他方が装置本体に設けられ、軸と穴のうち一方の高さを調整することにより前記走査光学装置の傾きを調整することを特徴とする画像形成装置。【選択図】        図３
2006001166.tif 000002
【特許請求の範囲】
【請求項１】
像担持体と、当該像担持体表面を帯電する帯電手段と、前記像担持体上に光かを照射して静電潜像を形成する走査光学装置と、前記像担持体上に形成された静電潜像を現像してトナー像を形成する現像手段と、を備えた画像形成装置において、
前記走査光学装置は、２個所の軸と穴の嵌合により装置本体に取り付けられ、
前記軸と前記穴のうち一方が走査光学装置に、他方が装置本体に設けられ、
前記軸と前記穴のうち一方の高さを調整することにより前記走査光学装置の傾きを調整することを特徴とする画像形成装置。
【請求項２】
前記軸高さの調整は、前記軸と前記穴のうち一方に設けられた偏心部の回転によりなされることを特徴とする請求項１に記載の画像形成装置。
【請求項３】
前記２個所の嵌合のうち一方は固定されていることを特徴とする請求項１または２に記載の画像形成装置。
【請求項４】
前記高さの調整は、ギア駆動を用いた軸の回転により行われることを特徴とする請求項１に記載の画像形成装置。
【請求項５】
複数の走査光学装置を有することを特徴とする請求項１〜４の何れか１項に記載の画像記録装置。
【発明の詳細な説明】
【技術分野】
【０００１】
本発明は、複写機、プリンタ、ＦＡＸ等の画像形成に用いられる走査光学装置を備える画像形成装置に関する。
【背景技術】
【０００２】
従来の走査光学装置の走査線の傾き補正は、折り曲げミラーを用いている場合はミラーの補正により行われている。光束がポリゴンから像面まで真っ直ぐ（ストレートパス）の場合は支持体上に乗った走査光学装置を傾けた技術や、走査光学装置内のＣＹ２レンズの揺動により行う走査光学装置を備える画像形成装置の技術がある。
【０００３】
また、露光装置を３点で支持し、少なくとも１点における支持を球体軸受けによる全方向回転可能な支持構造とし、レーザ光の主走査方向の傾きと主走査方向の倍率のバラツキの調整を可能にする走査光学装置を備える画像形成装置が知られている（特許文献１参照。）。
【特許文献１】特開２００２−９０６７８号公報
【発明の開示】
【発明が解決しようとする課題】
【０００４】
しかしながら、前記走査光学装置を備える画像形成装置において、前者は装置全体が大きくなる点（コストアップ）、後者はレンズの有効領域の関係で大きく傾けることができないという問題がある。
【０００５】
本発明は上記の不具合を解消し、通常の走査光学装置と同等の大きさで走査線を大きく傾けることを可能とする走査光学装置を備える画像形成装置を提供することを目的とする。
【課題を解決するための手段】
【０００６】
上記目的は、像担持体と、当該像担持体表面を帯電する帯電手段と、前記像担持体上に光かを照射して静電潜像を形成する走査光学装置と、前記像担持体上に形成された静電潜像を現像してトナー像を形成する現像手段と、を備えた画像形成装置において、前記走査光学装置は、２個所の軸と穴の嵌合により装置本体に取り付けられ、前記軸と前記穴のうち一方が走査光学装置に、他方が装置本体に設けられ、前記軸と前記穴のうち一方の高さを調整することにより前記走査光学装置の傾きを調整することを特徴とする画像形成装置によって達成される。
【０００７】
本発明は上記の如き構成をとることにより、通常の走査光学装置と同等の大きさで走査線を大きく傾けることを可能とする走査光学装置を備える画像形成装置の提供を図るものである。
【発明の効果】
【０００８】
本発明によれば、通常の走査光学装置と同等の大きさで走査線を大きく傾けることが可能な走査光学装置を備える画像形成装置の提供が可能となる。
【発明を実施するための最良の形態】
【０００９】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
（１）本発明にかかわる走査光学装置を備える画像形成装置について、図１にて以下に述べる。図１は、本発明にかかわる走査光学装置を備える画像形成装置の概略断面構成図である。
【００１１】
図１において、画像形成装置ＧＳは、画像形成装置本体ＧＨと画像読取装置ＹＳとから構成される。
【００１２】
画像形成装置本体ＧＨは、タンデム型カラー画像形成装置と称せられるもので、複数組の画像形成部１０Ｙ、１０Ｍ、１０Ｃ、１０Ｋと、ベルト状の中間転写体６と給紙搬送手段と、分離補助手段と、定着装置１７とを有する。
【００１３】
画像形成装置本体ＧＨの上部には、自動原稿送り装置２０１と原稿画像走査露光装置２０２から成る画像読取装置ＹＳが設置されている。自動原稿送り装置２０１の原稿台上に載置された原稿ｄは搬送手段により搬送され、原稿画像走査露光装置２０２の光学系により原稿の片面又は両面の画像が走査露光され、ラインイメージセンサＣＣＤに読み込まれる。
【００１４】
ラインイメージセンサＣＣＤにより光電変換されたアナログ信号は、画像処理部において、アナログ処理、Ａ／Ｄ変換、シェーディング補正、画像圧縮処理等が成された後、画像書き込み部（走査光学装置）８００Ｙ、８００Ｍ、８００Ｃ、８００Ｋに送られる。
【００１５】
イエロー（Ｙ）色の画像を形成する画像形成部１０Ｙは、像担持体としての感光体ドラム１Ｙの周囲に配置された帯電手段２Ｙ、Ｙの走査光学装置としての走査光学ユニット８００Ｙ、現像装置４Ｙ及びクリーニング手段８Ｙを有する。マゼンタ（Ｍ）色の画像を形成する画像形成部１０Ｍは、像担持体としての感光体ドラム１Ｍ、帯電手段２Ｍ、Ｍの走査光学装置としての走査光学ユニット８００Ｍ、現像装置４Ｍ及びクリーニング手段８Ｍを有する。シアン（Ｃ）色の画像を形成する画像形成部１０Ｃは、像担持体としての感光体ドラム１Ｃ、帯電手段２Ｃ、Ｃの走査光学装置としての走査光学ユニット８００Ｃ、現像装置４Ｃ及びクリーニング手段８Ｃを有する。黒（Ｋ）色の画像を形成する画像形成部１０Ｋは、像担持体としての感光体ドラム１Ｋ、帯電手段２Ｋ、Ｋの走査光学装置としての走査光学ユニット８００Ｋ、現像装置４Ｋ及びクリーニング手段８Ｋを有する。帯電手段２Ｙと露光手段３Ｙ、帯電手段２Ｍと走査光学ユニット８００Ｍ、帯電手段２Ｃと走査光学ユニット８００Ｃ及び帯電手段２Ｋと走査光学ユニット８００Ｋとは、潜像形成手段を構成する。
【００１６】
４Ｙ、４Ｍ、４Ｃ、４Ｋは、イエロー（Ｙ）、マゼンタ（Ｍ）、シアン（Ｃ）及び黒（Ｋ）の、小粒径のトナーとキャリアからなる２成分現像剤を内包する現像装置である。
【００１７】
中間転写体６は、複数のローラにより巻回され、回動可能に支持されている。
【００１８】
画像形成部１０Ｙ、１０Ｍ、１０Ｃ及び１０Ｋで形成された各色の画像は、回動する中間転写体６上に転写手段７Ｙ、７Ｍ、７Ｃ及び７Ｋにより逐次転写され（１次転写）、当該中間転写ベルト６上には合成されたカラー画像が形成される。給紙カセット２０内に収容された転写材としての記録紙Ｐは、給紙手段２１により給紙され、給紙ローラ２２Ａ、２２Ｂ、２２Ｃ、レジストローラ２３等を経て、転写手段７Ａに搬送され、記録紙Ｐ上にカラー画像が転写される（２次転写）。カラー画像が転写された記録紙Ｐは、定着装置１７へと搬送される。定着装置１７において、熱と圧力とを加えることによりカラートナー像（或いはトナー像）が定着された記録紙Ｐは、排紙ローラ２４に挟持されて機外の排紙トレイ２５上に排出される。
【００１９】
一方、転写手段７Ａにより記録紙Ｐにカラー画像が転写された後の、中間転写体６上に残留するトナーは、クリーニング手段８Ａにより除去される。
【００２０】
上記装置本体には走査光学装置８００Ｙ、８００Ｍ、８００Ｃ及び８００Ｋを取り付ける本体パネルＨＰａが設けられる。
【００２１】
なお、上記画像形成装置の説明においては、カラー画像形成にて説明したが、モノクロ画像を形成する場合も本発明に含まれるものである。
【００２２】
（２）本発明にかかわるビーム式の走査光学装置の一実施の形態について述べる。図２は、本発明にかかわるポリゴンミラーの光偏向装置を用いた走査光学装置を示す斜視図である。
【００２３】
図２において、走査光学装置とぢて用いられる走査光学ユニット８００は、８０は光源としての半導体レーザ、８１はビーム整形用光学系の第１の光学系としてのコリメータレンズ、８２は第１シリンドリカルレンズ、８３は第２の光学系としてのポリゴンミラー、８４Ａ、８４Ｂは偏光手段としてのｆθレンズ、８５は第２シリンドリカルレンズ、８６はミラー、８７はカバーガラス、８８は感光体ドラムをそれぞれ示している。なお、８９は同期検出用のインデックスミラー、８９Ｓは同期検知用のインデックスセンサ、８３Ｍは光偏向装置のポリゴンミラー８３の回転駆動部である。上記部材は走査光学ユニット８００の筐体ＫＴａ（図３参照）に取り付けられる。
【００２４】
半導体レーザ８０から出射したビームは、コリメータレンズ８１により平行光となり、第１シリンドリカルレンズ８２を経て、等速で高速回転するポリゴンミラー８３のミラー面に入射する。この反射光はｆθレンズ８４Ａ、８４Ｂ、第２シリンドリカルレンズ８５を透過し、ミラー８６、カバーガラス８７を介して感光体ドラム８８の周面上に所定のスポット径で（主）走査が行われる。主走査方向は図示しない調整機構によって微調整がなされ、１ライン毎の同期検知は、走査開始前のビームをインデックスミラー８９を介してインデックスセンサ８９Ｓに入射することによって行われる。
【００２５】
（３）本発明にかかわる走査光学装置の傾きの補正を行う方法について、以下の図３ないし図７にて述べる。図３は、図１で説明した画像形成装置の本体取り付けが２箇所の本体側穴と２箇所の走査光学装置側軸の嵌合によりなされているものを示す図であり、図４は、走査光学装置に設けられる２箇所の走査光学ユニット側の嵌合軸を示す図であり、図５は、回転軸の駆動ユニットを示す図であり、図６は、回転軸の斜視図であり、図７は、本体パネル側が軸であり走査光学ユニット側が穴の場合の軸の図である。
【００２６】
図３または図４によれば、図４に示す固定軸ＫＪａに嵌合する図３に示す穴Ｈａと、図４に示す走査光学装置８００の高さを調整するための固定軸ＫＪａが嵌め込まれる長穴Ｈｂとが設けられる。図４の丸印部は駆動ユニットＫＤＵを示す図である。
【００２７】
図５または図６によれば、駆動ユニットＫＤＵは、モータＭにより回転されるギア（平歯）１Ｇａと、当該ギア１Ｇａに噛み合わされて回転されるギア（平歯）２Ｇｂと、当該ギア２Ｇｂにより回転されるギア（ウォーム）４Ｇｄと、当該ギア４Ｇｄと噛み合わされるギア（ハス歯）３Ｇｃにより回転軸Ｊｔａが回転される。図６に示すように、走査光学ユニット８００の本体との嵌合箇所である回転軸Ｊｔａはギア部とは偏心状態にある。
【００２８】
上記走査光学ユニット８００において、走査光学装置としての走査光学ユニット８００の傾きの補正は回転軸Ｊｔａの高さの調整により行われるものである。回転軸Ｊｔａの高さの調整は駆動ユニットＫＤＵのギア駆動を用いた偏心状態にある回転軸Ｊｔａ（偏心部）の回転（図６参照）により行われるものである。
【００２９】
図７によれば、本体側が軸であり走査光学ユニット側が穴の場合の走査光学装置としての走査光学ユニット８００の傾きの補正は、本体パネルＨＰａ（図３参照）に取り付けられる駆動ユニットＫＤＵ（図５参照）の軸Ｊｔに設けられる長孔Ｈｃに、走査光学装置８００（図３参照）に設けられる不図示の２個所の固定軸のうちの一方の軸が、偏心状態で長孔Ｈｃに嵌め込まれる。長穴Ｈｃの中心は不図示一方の固定軸の中心とずれて設けてある。穴の高さの調整は、本体パネルＨＰａに設けられる駆動ユニットＫＤＵのギア駆動を用いた受け穴としての偏心状態にある軸Ｊｔの長穴Ｈｂ２（偏心部）の回転により行われるものである。
【００３０】
なお、上記高さ調整により走査光学装置が複数の場合も、複数の走査光学ユニット８００走査線が平行に調整される。
【００３１】
上記の如く、本発明の如き構成をとることにより、通常の走査光学装置と同等の大きさで走査線を大きく傾けることが可能な走査光学装置を備える画像形成装置が得られる。
【図面の簡単な説明】
【００３２】
【図１】本発明にかかわる走査光学装置を備える画像形成装置の概略断面構成図である。
【図２】本発明にかかわるポリゴンミラーの光偏向装置を用いた走査光学装置を示す斜視図である。
【図３】画像形成装置の本体取り付けが２箇所の本体側穴と２箇所の走査光学装置側軸の嵌合によりなされているものを示す図である。
【図４】走査光学ユニットに設けられる２箇所の走査光学ユニット側の嵌合軸を示す図である。
【図５】回転軸の駆動ユニットを示す図である。
【図６】回転軸の斜視図である。
【図７】本体パネル側が軸であり走査光学ユニット側が穴の場合の軸の図である。
【符号の説明】
【００３３】
１Ｙ，１Ｍ，１Ｃ，１Ｋ  感光体ドラム
２Ｙ，２Ｍ，２Ｃ，２Ｋ  帯電手段
３Ｙ，３Ｍ，３Ｃ，３Ｋ  露光手段
４Ｙ，４Ｍ，４Ｃ，４Ｋ  現像装置
１７  定着装置
８０  半導体レーザ
８１  コリメータレンズ
８３  ポリゴンミラー
８４Ａ，８４Ｂ  ｆθレンズ
８００  走査光学ユニット
８００Ｙ，８００Ｍ，８００Ｃ，８００Ｋ  走査光学装置
Ｇａ  ギア（平歯）１
Ｇｂ  ギア（平歯）２
Ｇｃ  ギア（ハス歯）３
Ｇｄ  ギア（ウォーム）４
Ｈａ  穴
Ｈｂ  長穴
Ｈｃ  長孔
ＨＰａ  本体パネル
Ｊｔ  軸
Ｊｔａ  回転軸
ＫＤＵ  駆動ユニット
ＫＪａ  固定軸
ＫＴａ  筐体
Ｍ  モータ
Ｐ  記録紙
【図１】
2006001166.tif 000003
【図２】
2006001166.tif 000004
【図３】
2006001166.tif 000005
【図４】
2006001166.tif 000006
【図５】
2006001166.tif 000007
【図６】
2006001166.tif 000008
【図７】
2006001166.tif 000009